(57)【要約】      （修正有）【課題】使い慣れたゴム底靴を簡単にスパイク靴にすることができる靴とそれに使用する専用の道具の提供。【解決手段】ゴム底のかかと裏の所定の場所３３にスパイク用のネジを自由に着脱できる穴を設けた履物３１と，ネジを入れる環状収納具の中心の孔に，前記ネジを靴底の穴にネジ込む為のレンチ又はドライバー３９を通したことを特徴とする履物用ネジセット３１３との組合せとする。【選択図】      図１１
2005046168.tif 000002
【特許請求の範囲】
【請求項１】
ゴム底の履物において、かかと裏所定場所に着脱自由のネジ込み用の穴があり、該ネジ込み用の穴がドライバー又はレンチの先端部を嵌入可能な構造を有するスパイク用ネジの穴であることを特徴とする底裏に着脱自由のネジ用穴のある履物。
【請求項２】
履物前付近に輪があるゴム底の履物において、かかと裏所定場所に着脱自由のネジ込み用の穴があり、該ネジ込み用の穴がドライバー又はレンチの先端部を嵌入可能な構造を有するスパイク用ネジの穴であることを特徴とする底裏に着脱自由のネジ用穴のある履物。
【請求項３】
履物前付近に熊などの野生動物遭遇除け用鈴を着脱するための輪があるゴム底の履物において、かかと裏所定場所にネジ込み用の穴があり、該ネジ込み用の穴がドライバー又はレンチの先端部を嵌入可能な構造を有するスパイク用ネジの穴であることを特徴とする底裏に着脱自由のネジ用穴のある履物。
【請求項４】
ネジを入れる環状収納具の中心の孔にレンチ又はドライバーを通したことを特徴とする履物用ネジセット。
【請求項５】
ネジを入れる環状収納具の中心の孔にレンチ又はドライバーを通したことを特徴とする底裏に着脱自由のネジ用穴のある履物用ネジセットと、長靴などの履物との組み合わせ。
【請求項６】
ネジを入れる環状収納具の中心の孔にレンチ又はドライバーを通したことを特徴とする底裏に着脱自由のネジ用穴のある履物用ネジセットとゴム底の履物において、かかと裏所定場所に着脱自由のネジ込み用の穴があり、該ネジ込み用の穴がドライバー又はレンチの先端部を嵌入可能な構造を有するスパイク用ネジの穴であることを特徴とする底裏に着脱自由のネジ用穴のある履物との組み合わせ。
【発明の詳細な説明】
【０００１】
【発明の属する技術分野】
本発明は、ゴム底の履物の底に関する。詳しくはゴム底の履物、たとえばゴム長靴やゴム底サンダルやスポーツシューズや地下足袋などのゴム底にネジ付き鋲などのスパイクネジをねじ込み固着することに関する。
【０００２】
【従来の技術】
従来、ネジ付き鋲を履物の底にねじ込んで固着する発明考案は多数ある。たとえば実用新案公報昭和５８年−１３７６５、特許公開平成１０年−１０４、特許公開平成９年−１６４００３、特許公開平成１０年−２４８６１１がある。
寒冷地などで道路凍結による滑り止め目的、山道での滑り止め防止目的、スポーツにおける足が着地点で安定する目的などでネジ付き鋲や取りつけようスパイクが多用されている。
樹脂に金具を埋設したスパイク類やスパイク台埋め込みネジ付きピンとの組み合わせがあるがいずれも複雑である。複雑にしたが防滑効果はそれほどない。
ゴム底にネジ付き鋲を埋め込むが手軽で防滑効果が高い。
ネジ付き鋲の形状としては実用新案公報昭和５８年−１３７６５では、構成に（傘部と、この傘部の一方側に傘部と一体に形勢されたねじ部を有する履き物用ねじ付き鋲において、ドライバーの先端部をはめ嵌入可能な十字状の凹部を前記傘部の中央部に形成し、かつ複数の突起を前記凹部の周りに形成して成る履き物用ねじ付き鋲）が提案されている。
しかし、このようなドライバー用十字状の凹部のある傘付きネジは、ネジ類では一般的なものである。皿ネジとも言われ靴底にスパイクとして利用できる。
ネジ類を靴底に自分でネジ類をネジ込みスパイク靴とする、ネジの利用は寒冷地ではしばしば以前より見受けられる。
また、本発明者は図１、図２に示すようなネジ付き鋲も靴底に利用すれば防滑効果が高いことを見いだした。図１、図２の鋲は皿部の上のネジ頭部（傘部）が図に示すように囲い部の中にドライバー用十字状の凹部がある構造である。
以上説明した如く、ゴム底にネジをドライバーでネジ込めば簡単に防滑用履物が得られる。ネジ付き鋲はスパイクネジとなることは公知である。
【０００３】
【発明が解決しようとする課題】
しかしながら、市販のネジや図１に示すようなネジを取付位置を目安に着け、ドライバーで靴底にねじ込むと、ネジの位置がずれてバランスが取れなくなる可能性がある。左右のバランスを正しく取るには困難である。
ネジを靴底に真っ直にねじ込めないこともある。
また、道路凍結が終わり靴底にネジが不要になった時や、山から下りて靴底にネジが不要になつた時に、無理なネジ込みだとドライバーで外しにくい。
さらに外したネジを紛失しやすい問題がある。次にネジを靴底に取りつける際ネジが見あたらなくなる可能性もある。
【０００４】
また、冬の雪道や寒冷地などで道路凍結による滑り止め目的、春は山菜取り秋はキノコ取りなどでの山道での滑り止め防止目的、ゴルフ等スポーツにおける足が着地点で安定する目的でも、いつもの使い慣れた靴がよい。
使い慣れた靴にネジをねじこめば、簡単にスパイク靴になることは理解されていても専用の道具が開発されていない。このため、使い慣れた履物をスパイク靴にすることことは無かった。
【０００５】
【課題を解決するための手段】
本発明者は、上記目的を達成するために、ゴム底の履物において、かかと裏所定場所にネジ込み用の穴があり、該ネジ込み用の穴がドライバーの先端部をはめ嵌入可能な十字状の凹部を中央部に形成し外縁部が突起を形成してなるねじ付き鋲用の穴であれば、ネジの位置がバランスよくできることを見いだした。
すなわち、ゴム底の履物において、かかと裏所定場所に着脱自由のネジ込み用の穴があり、該ネジ込み用の穴がドライバーの先端部を嵌入可能な十字状の凹部を中央部に形成し外縁部が突起を形成してなるねじ付き鋲用の穴であることを特徴とする底裏に着脱自由のネジ用穴のある履物とすればよい。
ネジとドライバーと組み合わせればいつでもスパイク靴に変えられる。そして春になりスパイクが不要になれば普通の靴として利用できる。
また、履物前付近に輪があるゴム底の履物において、かかと裏所定場所に着脱自由のネジ込み用の穴があり、該ネジ込み用の穴がドライバーの先端部を嵌入可能な十字状の凹部を中央部に形成し外縁部が突起を形成してなるねじ付き鋲用の穴であることを特徴とする請求項１記載の底裏に着脱自由のネジ用穴のある履物としても良い。
さらに、履物前付近に熊などの野生動物遭遇除け用鈴を着脱するための輪があるゴム底の履物において、かかと裏所定場所にネジ込み用の穴があり、該ネジ込み用の穴がドライバーの先端部を嵌入可能な十字状の凹部を中央部に形成し外縁部が突起を形成してなるねじ付き鋲用の穴であることを特徴とする請求項１記載の底裏に着脱自由のネジ用穴のある履物ともできる。
【０００６】
また、本発明者は、使い慣れた靴にネジをねじこむ専用の道具を提案する。
ネジを入れる環状収納具の中心の孔にレンチ又はドライバーを通したことを特徴とする底裏に着脱自由のネジ用穴のある履物用ネジセット。
【０００７】
また、上記のネジを入れる環状収納具の中心の孔にレンチ又はドライバーを通したことを特徴とする底裏に着脱自由のネジ用穴のある履物用ネジセットと長靴などの履物と組み合わせても良い。
さらには、ネジを入れる環状収納具の中心の孔にレンチ又はドライバーを通したことを特徴とする底裏に着脱自由のネジ用穴のある履物用ネジセットと、ゴム底の履物において、かかと裏所定場所に着脱自由のネジ込み用の穴があり、該ネジ込み用の穴がドライバーの先端部を嵌入可能な十字状の凹部を中央部に形成し外縁部が突起を形成してなるねじ付き鋲用の穴であることを特徴とする底裏に着脱自由のネジ用穴のある履物との組み合わせでも良い。
【０００８】
【発明の実施の形態】
以下、本発明を図１〜図５に従い、詳しく説明する。
図１はスパイク用ネジ正面図、図２は平面図、図３は本発明実施例正面図、図４は本発明実施例側面図である。また、図５は熊などの野生動物遭遇除け用着脱鈴のある本発明実施例側面図である。
符号を説明すれば、１はネジ付き鋲、２は頭部、３は皿部、４はネジ部、５はネジ先端部、６はネジ溝、１０は穴、１１は履物、１２は輪、１３はゴム底、１４は鈴、２１は外縁部、２２は内縁部、２３凹部である。
図１と図２はネジ込み用の代表的なネジ付き鋲を示す。ドライバーの先端部を嵌入可能な十字状の凹部２３を中央部に形成し外縁部２１が突起を形成してなるねじ付き鋲１である。ねじ付き鋲１の頭部２は皿部３からなり、ネジ部４にはネジ先端部５とネジ溝６がある。頭部２は皿部３の上に外縁部２１、内縁部２２があり中央に凹部２３がある。外縁部２１が防滑の役割を成す。従来の履物用ネジ付き鋲と比べ突起部分が円周形であることにより一段と防滑効果がある。
履物１１はゴム底の履物であり、たとえばゴム長、サンダル、スポーツシューズ、地下足袋などである。
【０００９】
図３は履物底裏で本発明実施例正面面図である。ゴム底１３のかかと裏所定場所に図に示すごとく穴１０を設ける。後先部中心に１つ左右に各１つ計３点に穴をバランス良く設ける。
穴１０はこれ以外にも多数設けることのも可能である。たとえば、中央部や先部に設け、ねじ付き鋲１を多数ネジ込むなどである。
また、穴１０を着色すると識別効果があるので、ネジ込みやすくなる。
本発明に使用するネジ付き鋲は図１及び図２に示すものが好ましいが、特に限定するものではない。実用新案公報昭和５８年−１３７６５に示されるようなドライバーで着脱できる突起付きの履物用ネジであれば良い。
【００１０】
図４は請求項２記載に係わる本発明実施例側面図である。
履物１１は図ではゴム長である。図に示すごとく履物１１の前付近に輪１２を設ける。そしてゴム底１３のかかと裏当りにネジ付き鋲１を穴に導かれてねじ込む。ネジ部４はゴム底１３に固着され、皿部３を境に頭部２が突起し防滑効果を得る。
ネジ付き鋲１が不要になった際は、外し袋にいれ輪１２に吊り下げれば収納でき紛失の恐れがない。輪は袋に代えてもよい。袋を直接履物に設けるのである。
【００１１】
図５は請求項３記載に係わる本発明実施例側面図である。
山仕事や山菜取りの際に熊などの野生動物との遭遇事故を避ける必要がある。
最良手段として、履物に鈴などを着脱取付するために図５のように履物に輪１１を設け、この輪１１に鈴１４を着けることを本発明者は提案している。
山仕事や山菜取りでは、作業中滑りやすいためネジ付き鋲のある履物がよい。
輪１１は鈴の着脱ばかりでなく、ネジ付き鋲を袋にいれて収納もできる。
山歩き用の履物に鈴を付けることにより、山歩きの際に鈴がリズミカルに鳴り熊などの野生動物との遭遇を避けることができる。
図５は地下足袋を示すが、ゴム底の履物、たとえばゴム長靴やゴム底サンダルやスポーツシューズなどでもよい。ゴム底にネジ付き鋲をねじ込み固着できればよいわけである。そして履物に輪を設けゴム底にネジ付き鋲をねじ込む穴が有れば良いわけである。
【００１２】
【実施例】
次に本発明の使い慣れた靴にネジをねじこむ専用の道具とこのものと履物の組み合わせの実施例を図６〜図１１で説明する。
図６は実施例側面図、図７は収納具斜視図、図８は、収納具側面図、図９は、収納具とドライバーの組み合わせ正面図、図１０は、収納具とレンチの組み合わせ正面図、図１１は、実施例側面図である。
この時使用する符号の説明をすると、３１は履物、３２は履物前底３３は履物後底、３４は入口部、３５は袋、３６は穴、３７はネジ、３８はレンチ、３９はドライバー、３１０は収納具、３１１容器部、３１２は蓋部、３１３はパッケージ、３７１はネジ挿入部、３８１は中心孔、３９１はドライバー先端である。
図６は、底裏に着脱自由のネジ用穴３６のある履物３１の販売の際の実施例図面である。このように底裏に着脱自由のネジ用穴のある履物の入口部３４にスパイク用ネジとレンチなどを入れた袋を取りつけて商品化する。
【００１３】
図７は収納具３１０の斜視図であり、ネジ挿入部３７１にスパイク用ネジを収納し、中心孔３８１にドライバー先端部又はレンチを入れる。
図８は、蓋付きの収納具側面図である。実施では蓋付きでなくとも良い。
【００１４】
図９は収納具とドライバーの組み合わせ、図１０は収納具とレンチの組み合わせを示す。
これらの組み合わせたものを履物と一体化して販売する実施例を示したのがず１１である。
【００１５】
【発明の効果】
かかと裏所定場所にネジ込み用の穴があることによりネジ付き鋲をバランス良くネジ込める。図１に記載のネジ付き鋲ばかりでなく市販の履物用ネジ付き鋲もバランス良くネジ込め、しかも靴底に真っ直にねじ込める。
穴が着色してあればさらに効果を高める。
【００１６】
請求項２記載の効果としては、凍結していない場所ではネジ付き鋲不要になった際に収納できる。さらに再び必要になった場合取付が容易である。
ネジ付き鋲紛失の恐れがない。
【００１７】
請求項３記載の効果としては、野生動物遭遇除け用鈴の取付場所に不要になったネジ付き鋲を収納できる。山でスパイク靴を利用する際は、熊など野生動物と遭遇することが多い。不要になればスパイクと鈴を取り外して収納できる。
【００１８】
請求項４記載の効果としては、スパイク用ネジとレンチ又はドライバーが一体化されているので冬になり凍結時の事故予防に履きなれた普通の靴をスパイク靴に変えるのが簡単にできる。また、春になり履物からスパイクネジを外して収納時にスパイクネジの紛失防止になる。
【００１９】
請求項５記載及び請求項６記載の効果としては、長靴などの履物を普段の履物と寒冷時期に使用するスパイク履物と兼用できる。レンチを靴周囲に収納すればいつでも外せる。請求項６記載では特に底裏に着脱自由のネジ用穴があるのでさらに便利である。寒冷地での凍結による転倒事故防止、ゼンマイ取りキノコ取りなどで山に行く際、釣り場など滑りやすい所へ行く際などいつでも普通の靴をスパイク靴に変化できる。不要になればネジを外すのも簡単である。
以上記載した如く本発明は、産業上の利用価値が大きい。
【図面の簡単な説明】
【図１】ネジ正面図
【図２】ネジ平面図
【図３】本発明実施例正面図
【図４】本発明実施例側面図
【図５】着脱鈴のある本発明実施例側面図
【図６】実施例側面図
【図７】収納具斜視図
【図８】収納具側面図
【図９】収納具とドライバーの組み合わせ正面図
【図１０】収納具とレンチの組み合わせ正面図
【図１１】実施例側面図
【符号の説明】
１・・ネジ付き鋲、２・・頭部、３・・皿部、４・・ネジ部、
５・・ネジ先端部、６・・ネジ溝、１０・・穴、１１・・履物、１２・・輪、
１３・・ゴム底  、１４・・鈴、２１・・外縁部、
２２・・内縁部、２３・・凹部、
３１・・履物、  ３２・・履物前底    ３３・・履物後底
３４・・入口部、３５・・袋、３６・・穴、３７・・ネジ、３８・・レンチ、
３９・・ドライバー、３１０・・収納具、３１１容器部、３１２・・蓋部、
３１３・・パッケージ、３７１・・ネジ挿入部、３８１・・中心孔、
３９１・・ドライバー先端。
【図１】
2005046168.tif 000003
【図２】
2005046168.tif 000004
【図３】
2005046168.tif 000005
【図４】
2005046168.tif 000006
【図５】
2005046168.tif 000007
【図６】
2005046168.tif 000008
【図７】
2005046168.tif 000009
【図８】
2005046168.tif 000010
【図９】
2005046168.tif 000011
【図１０】
2005046168.tif 000012
【図１１】
2005046168.tif 000013